(57)【要約】【課題】通信経路上の装置での接続誤りや混信による誤送信を低減することを可能とする。【解決手段】受信装置と第一の通信を行い、前記受信装置から受信したエコーの状態を測定し、前記エコーの状態が変化したとき、前記変化に対応する信号を出力する。【選択図】      図１
2017208653.tif 000002
【特許請求の範囲】
【請求項１】
受信装置と第一の通信を行う第一の通信部と、
前記受信装置から受信したエコーの状態を測定するエコー測定部と、
前記エコーの状態が変化したとき、前記変化に対応する信号を出力する処理部と
を備えることを特徴とする通信装置。
【請求項２】
前記エコーの状態は、前記受信装置への出力信号に対する前記エコーの遅延あるいは／および減衰量である
ことを特徴とする請求項１に記載の通信装置。
【請求項３】
前記受信装置は、ファクシミリ受信機であり、
前記エコー測定部は、トレーニング中あるいは／およびファクシミリデータ送信中に前記エコーの状態の前記測定を行う
ことを特徴とする請求項１あるいは請求項２に記載の通信装置。
【請求項４】
前記信号は、前記第一の通信の切断を指示する切断指示あるいは／および前記第一の通信に関係する装置への通知である
ことを特徴とする請求項１から請求項３のいずれかに記載の通信装置。
【請求項５】
送信装置と第二の通信を行う第二の通信部
をさらに備え、
前記第一の通信部は、前記送信装置から受信したデータを前記受信装置へ送信する
ことを特徴とする請求項１から請求項４のいずれかに記載の通信装置。
【請求項６】
前記信号は、前記送信装置と前記受信装置との間の通信の切断を指示する切断指示である
ことを特徴とする請求項５に記載の通信装置。
【請求項７】
受信装置と第一の通信を行い、
前記受信装置から受信したエコーの状態を測定し、
前記エコーの状態が変化したとき、前記変化に対応する信号を出力する
ことを特徴とする通信方法。
【請求項８】
前記受信装置は、ファクシミリ受信機であり、
トレーニング中あるいは／およびファクシミリデータ送信中に前記エコーの状態の前記測定を行う
ことを特徴とする請求項７に記載の通信方法。
【請求項９】
コンピュータに、
受信装置と第一の通信を行う第一の通信機能と、
前記受信装置から受信したエコーの状態を測定するエコー測定機能と、
前記エコーの状態が変化したとき、前記変化に対応する信号を出力する処理機能と
を実現させることを特徴とする通信プログラム。
【請求項１０】
前記受信装置は、ファクシミリ受信機であり、
前記エコー測定機能は、トレーニング中あるいは／およびファクシミリデータ送信中に前記エコーの状態の前記測定を行う
ことを特徴とする請求項９に記載の通信プログラム。
【発明の詳細な説明】
【技術分野】
【０００１】
本発明は、誤送信を防止する、通信装置、方法およびプログラムに関する。
【背景技術】
【０００２】
ファクシミリ（以降ＦＡＸ）通信における誤送信の要因の一つに、ＦＡＸ受信装置とＦＡＸ送信装置との間の通信経路上に存在するネットワーク装置（たとえばＭｅｄｉａＧａｔｅｗａｙ）における、接続誤りや混線がある。
【０００３】
たとえば、ネットワーク装置において何等かの障害が発生した場合などにＴＤＭ（Time Division Multiplexing）のタイムスロットが入れ替わる事象が発生する場合がある。タイムスロットの入れ替わりが起きると、ネットワーク装置で接続誤りや混線が発生してしまう。
【０００４】
ネットワーク装置で接続誤りや混線が発生した場合、利用者が送信先番号を正しく入力しても、利用者が意図していない相手へＦＡＸ信号が誤送信される。そして、ＦＡＸ信号が誤送信された先がＦＡＸ受信中のＦＡＸ受信装置であった場合、誤送信された先のＦＡＸ受信装置がＦＡＸを受信することになる。
【０００５】
誤送信の要因には、ネットワーク装置での接続誤りや混線の他に、利用者による送信先番号の入力ミスがある。利用者の番号入力ミスによる誤送信を防止するための方法としては、たとえば、特許文献１から特許文献４に記載の方法がある。
【先行技術文献】
【特許文献】
【０００６】
【特許文献１】特開２０１０−２３９２５５号公報
【特許文献２】特開２０１０−２３９２５４号公報
【特許文献３】特開２００８−０６７３３７号公報
【特許文献４】特許第４５２１３５７号公報
【発明の概要】
【発明が解決しようとする課題】
【０００７】
しかし、特許文献１から特許文献４に記載の方法は、利用者の番号入力ミスを防止する方法であるため、ネットワーク装置での接続誤りや混線による誤送信には効果がない。
【０００８】
本発明の目的は、通信経路上の装置での接続誤りや混信による誤送信を低減することを可能とする、通信装置、方法およびプログラムを提供することにある。
【課題を解決するための手段】
【０００９】
上述の問題を解決するために、本発明の通信装置は、受信装置と第一の通信を行う第一の通信部と、前記受信装置から受信したエコーの状態を測定するエコー測定部と、前記エコーの状態が変化したとき、前記変化に対応する信号を出力する処理部とを備えることを特徴とする。
【００１０】
また、本発明の通信方法は、受信装置と第一の通信を行い、前記受信装置から受信したエコーの状態を測定し、前記エコーの状態が変化したとき、前記変化に対応する信号を出力することを特徴とする。
【００１１】
また、本発明の通信プログラムは、コンピュータに、受信装置と第一の通信を行う第一の通信機能と、前記受信装置から受信したエコーの状態を測定するエコー測定機能と、前記エコーの状態が変化したとき、前記変化に対応する信号を出力する処理機能とを実現させることを特徴とする。
【発明の効果】
【００１２】
本発明の通信装置、方法およびプログラムにより、通信経路上の装置での接続誤りや混信による誤送信を低減することが可能になる。
【図面の簡単な説明】
【００１３】
【図１】本発明の第一の実施形態の通信装置の構成例を示す図である。
【図２】本発明の第一の実施形態の通信装置の動作例を示す図である。
【図３】本発明の第二の実施形態のＦＡＸ送信システムの構成例を示す図である。
【図４】本発明の第二の実施形態の通信装置の構成例を示す図である。
【図５】本発明の第二の実施形態のエコーキャンセラの構成例を示す図である。
【図６】一般的なＦＡＸ送受信シーケンスの例を示す図である。
【図７】本発明の第二の実施形態の通信装置の動作例を示す図である。
【図８】本発明の各実施形態のハードウェア構成例を示す図である。
【発明を実施するための形態】
【００１４】
［第一の実施形態］
本発明の第一の実施の形態について説明する。
【００１５】
図１に本実施形態の通信装置１０の構成例を示す。本実施形態の通信装置１０は、第一の通信部１１、エコー測定部１２および処理部１３により構成される。
【００１６】
第一の通信部１１は、受信装置と第一の通信を行う部分である。エコー測定部１２は、受信装置から受信したエコーの状態を測定する部分である。処理部１３は、エコーの状態が変化したとき、変化に対応する信号を出力する部分である。
【００１７】
このように通信装置１０を構成することによって、通信装置１０は、受信装置から受信したエコーの状態が変化したとき、変化に対応する信号を出力する。これにより、受信装置から受信したエコーの状態が変化したとき、通信を行っている受信装置が変化したと推定し、受信装置との通信を切断する等の対処を行うことが可能になる。そのため、通信経路上の装置での接続誤りや混信による誤送信を低減することが可能になる。
【００１８】
次に、図２に本実施形態の通信装置１０の動作の例を示す。
【００１９】
まず、エコー測定部１２は、受信装置から受信したエコーの状態を測定する（ステップＳ１０１）。そして、処理部１３は、エコーの状態が変化したとき、変化に対応する信号を出力する（ステップＳ１０２、Ｓ１０３）。
【００２０】
このように通信装置１０を動作させることによって、通信装置１０は、受信装置から受信したエコーの状態が変化したとき、変化に対応する信号を出力する。これにより、受信装置から受信したエコーの状態が変化したとき、通信を行っている受信装置が変化したと推定し、受信装置との通信を切断する等の対処を行うことが可能になる。そのため、通信経路上の装置での接続誤りや混信による誤送信を低減することが可能になる。
【００２１】
以上で説明したように、本発明の第一の実施形態では、通信装置は、受信装置から受信したエコーの状態が変化したとき、変化に対応する信号を出力する。これにより、受信装置から受信したエコーの状態が変化したとき、通信を行っている受信装置が変化したと推定し、受信装置との通信を切断する等の対処を行うことが可能になる。そのため、通信経路上の装置での接続誤りや混信による誤送信を低減することが可能になる。
【００２２】
［第二の実施形態］
次に、本発明の第二の実施の形態について説明する。本実施形態では、第一の実施形態の通信装置について、ＦＡＸを送受信する場合を例として、より具体的に説明する。
【００２３】
まず、図３に、本実施形態の通信装置２０を用いたＦＡＸ送信システムの構成例を示す。
【００２４】
送信装置４０は、データを送信する装置であり、本実施形態の場合、ＦＡＸ送信装置である。受信装置５０は、送信装置４０が送信したデータを受信する装置であり、本実施形態の場合、ＦＡＸ受信装置である。
【００２５】
ネットワーク装置６０は、送信装置４０とネットワーク７とを接続する装置である。通信装置２０は、受信装置５０とネットワーク７とを接続する装置である。たとえば、ＭｅｄｉａＧａｔｅｗａｙなどがネットワーク装置６０や通信装置２０に該当する。
【００２６】
図４に、本実施形態の通信装置２０の構成例を示す。通信装置２０は、第一の通信部１１、エコー測定部１２、処理部１３および第二の通信部２４により構成される。
【００２７】
第一の通信部１１は、受信装置５０と第一の通信を行う部分である。第二の通信部２４は、ネットワーク７およびネットワーク装置６０を介して、送信装置４０と第二の通信を行う部分である。エコー測定部１２は、受信装置５０から受信したエコーの状態を測定する部分である。処理部１３は、エコーの状態が変化したとき、変化に対応する信号を出力する部分である。
【００２８】
なお、本実施形態では、エコーとして、受信装置５０の２線４線変換回路のインピーダンス不整合により発生する信号の回り込みを利用する。
【００２９】
エコー測定部１２では、たとえば、ＦＡＸ送受信に伴う、送信装置４０と受信装置５０との間のトレーニング中と、ＦＡＸデータ通信中それぞれにおいて、エコーの状態を測定する。
【００３０】
受信装置５０が変わらなければ、受信装置５０からのエコー状態はほとんど変化がない。そのため、本実施形態では、受信装置５０からのエコー状態が変化したとき、受信装置５０がそれまでの受信装置５０ではなくなり、誤送信が発生したと推定する。
【００３１】
処理部１３では、たとえば、トレーニング中に測定したエコー状態（トレーニング中エコー状態）とＦＡＸデータ通信中に測定したエコー状態とを比較し、変化があった場合に、変化に対応する信号を出力する。変化に対応する信号としては、たとえば、受信装置５０との接続の切断を指示する切断指示、上位の管理装置への通知等を出力する。二つのエコー状態の変化の有無は、二つのエコー状態が異なるか否かで判断する。その際、測定誤差等の影響を低減するために、両者の差が所定の値以上の場合に「変化あり」、差が所定の値未満の場合は「変化なし」と判断しても良い。
【００３２】
また、エコー状態の測定は、エコーキャンセラの機能を利用して実現することが可能である。
【００３３】
図５にエコーキャンセラの構成例を示す。この例では、エコーキャンセラはＥＲＬ（Echo Return Loss）測定部１０１、ＣＮＧ（Comfort Noise Generator）１０２、ＮＬＰ（Non-Linear Processing）１０３およびＥＥ（Echo Estimate）１０４により構成される。
【００３４】
Ｒｉｎは、送信装置４０から、ネットワーク装置６０およびネットワーク７を介して入力された信号である。Ｒｏｕｔは、受信装置５０へ出力する信号である。Ｓｉｎは、受信装置５０から入力されたエコーである。ＥＲＬ測定部１０１では、ＥＲＬとして、ＲｉｎあるいはＲｏｕｔに対する、Ｓｉｎの遅延および音声レベルの減衰量を測定する。エコーキャンセラでは、測定したＥＲＬを使用して、エコーの抑制を行っている。
【００３５】
本実施形態では、このＥＲＬ測定部１０１で測定するＥＲＬをエコー状態として利用することが可能である。
【００３６】
このように通信装置２０を構成することによって、通信装置２０は、受信装置から受信したエコーの状態が変化したとき、変化に対応する信号を出力する。これにより、受信装置から受信したエコーの状態が変化したとき、通信を行っている受信装置が変化したと推定し、受信装置との通信を切断する等の対処を行うことが可能になる。そのため、通信経路上の装置での接続誤りや混信による誤送信を低減することが可能になる。
【００３７】
また、本実施形態では、エコーキャンセラのエコー状態測定機能を利用することにより、容易にエコー状態を測定することが可能になる。
【００３８】
また、本実施形態では、ＦＡＸのトレーニング中とデータ通信中にエコー状態を測定する。そのため、トレーニング以降に受信装置が変わった場合に、受信装置が変わったことを検出し、それ以降の誤送信を抑制することが可能になる。
【００３９】
次に、本実施形態の通信装置２０の動作例について説明する。
【００４０】
まず、図６に、一般的なＦＡＸの送信シーケンスの例を示す。
【００４１】
送信装置４０は、受信装置５０へＦＡＸの送信を行うために、ネットワーク装置６０、ネットワーク７、通信装置２０を介して、ＣＮＧ（calling signal）を受信装置５０へ送信し、通信開始を要求する（ステップＳ２０１）。通信開始要求を受けた受信装置５０は、ＣＥＤ（called signal）を送信装置４０へ応答し、さらに、ＣＳＩ（Called Subscriber Identification）／ＤＩＳ（Digital Information Signal）を送信装置４０へ送信する（ステップＳ２０２、Ｓ２０３）。
【００４２】
送信装置４０は、ＴＳＩ（Transmitting Subscriber Identification）／ＤＣＳ（Digital Command Signal）を受信装置５０へ送信した後、ＴＣＦ（Training Check Frame）を送信し、ＦＡＸ送受信のトレーニングを開始する（ステップＳ２０４、Ｓ２０５）。トレーニング完了後、受信装置５０は、ＣＦＲ（confirm signal）を送信装置４０へ送信する（ステップＳ２０６）。
【００４３】
トレーニング完了後、送信装置４０は、ＦＡＸデータの送信を開始する（ステップＳ２０７）。続きのデータがあるときは、送信装置４０から受信装置５０へＭＰＳ（multipage signal）を送信し、受信装置５０は送信装置４０へＭＣＦ（Message Confirmation Report）を送信する（ステップＳ２０８、Ｓ２０９）。最後のデータのときは送信装置４０から受信装置５０へＥＯＰ（end of page）を送信し、受信装置５０は送信装置４０へＭＣＦを送信する（ステップＳ２１０〜Ｓ２１２）。そして、送信装置４０は受信装置５０へＤＣＮ（disconnect）を送信し、ＦＡＸ送信を終了する。
【００４４】
次に、図７に本実施形態の通信装置２０の動作例を示す。
【００４５】
本実施形態では、トレーニング中、すなわち、図６のステップＳ２０５とステップＳ２０６の間、および、データ送信中、すなわち、ステップＳ２０７以降にエコー状態を取得する。
【００４６】
送信装置４０から受信装置５０へのＦＡＸ送信が開始すると、通信装置２０のエコー測定部１２では、送信装置４０と受信装置５０とのトレーニング中に、受信装置５０からのエコー状態を測定する（ステップＳ３０１）。そして、測定したエコー状態を、送信装置４０のエコー状態として保持する。
【００４７】
また、通信装置２０でのエコー測定部１２は、送信装置４０から受信装置５０にＦＡＸデータを送信している間、所定間隔おきに受信装置５０からのエコー状態を測定する（ステップＳ３０２、Ｓ３０３）。そして、ステップＳ３０１で取得したエコー状態がステップＳ３０３で取得したエコー状態から変化がなければ、エコー測定部１２は、ＦＡＸデータの送信が終了するまで、所定時間おきに受信装置５０からのエコー状態を測定する。
【００４８】
エコー状態に変化があれば、通信装置２０の処理部１３は、受信装置５０がステップＳ３０１の時点から変化したと判断し、変化に対応する信号を出力する（ステップＳ３０４、Ｓ３０５）。たとえば、送信装置４０と受信装置５０との間の接続を切断する、あるいは、他の装置に通知を行う。
【００４９】
このように通信装置２０を動作させることによって、通信装置２０は、受信装置から受信したエコーの状態が変化したとき、変化に対応する信号を出力する。これにより、受信装置から受信したエコーの状態が変化したとき、通信を行っている受信装置が変化したと推定し、受信装置との通信を切断する等の対処を行うことが可能になる。そのため、通信経路上の装置での接続誤りや混信による誤送信を低減することが可能になる。
【００５０】
以上で説明したように、本発明の第二の実施形態では、第一の実施形態と同様に、通信装置は、受信装置から受信したエコーの状態が変化したとき、変化に対応する信号を出力する。これにより、受信装置から受信したエコーの状態が変化したとき、通信を行っている受信装置が変化したと推定し、受信装置との通信を切断する等の対処を行うことが可能になる。そのため、通信経路上の装置での接続誤りや混信による誤送信を低減することが可能になる。
【００５１】
また、本実施形態では、エコーキャンセラのエコー状態測定機能を利用することにより、容易にエコー状態を測定することが可能になる。
【００５２】
また、本実施形態では、ＦＡＸのトレーニング中とデータ通信中にエコー状態を測定する。そのため、トレーニング以降に受信装置が変わった場合に、受信装置が変わったことを検出し、それ以降の誤送信を抑制することが可能になる。
【００５３】
なお、本実施形態の通信装置では、二度以上エコー状態を測定し、エコー状態が変化したとき、変化に対応する信号を出力する。そのため、一度目にエコー状態を測定するまでに接続誤りが発生した場合は、誤送信を検出できない。
【００５４】
トレーニング中のエコー状態測定より前に接続誤りが発生している場合、接続開始時点から接続誤りが発生している可能性が高いと考えられる。その場合、トレーニングより前の接続シーケンスで何らかの異常を検出できる可能性がある。ＦＡＸ送受信中は、そのような異常検出が難しいが、本実施形態の通信装置により、ＦＡＸ送受信中の誤送信を低減することが可能になる。
【００５５】
また、本実施形態の通信装置では、誤送信が発生している状態のエコー状態を測定することで誤送信を検出する。そのため、誤送信が発生してからエコー状態を測定して対処をするまでは、誤送信が発生する。
【００５６】
この誤送信の時間を極力短くするため、エコー状態の測定の間隔を極力短くすることが望ましい。誤送信の時間が短ければ、誤送信されるＦＡＸデータが少なくなり、そのＦＡＸデータの内容を受信装置で判別することが難しくなる。そのため、送信情報の流出を低減することが可能になる。
【００５７】
［ハードウェア構成例］
上述した本発明の各実施形態における通信装置（１０、２０）を、一つの情報処理装置（コンピュータ）を用いて実現するハードウェア資源の構成例について説明する。なお、通信装置は、物理的または機能的に少なくとも二つの情報処理装置を用いて実現してもよい。また、通信装置は、専用の装置として実現してもよい。また、通信装置の一部の機能のみを情報処理装置を用いて実現しても良い。
【００５８】
図８は、本発明の各実施形態の通信装置を実現可能な情報処理装置のハードウェア構成例を概略的に示す図である。情報処理装置８０は、通信インタフェース８１、入出力インタフェース８２、演算装置８３、記憶装置８４および不揮発性記憶装置８５およびドライブ装置８６を備える。
【００５９】
通信インタフェース８１は、各実施形態の通信装置が、有線あるいは／および無線で外部装置と通信するための通信手段である。なお、通信装置を、少なくとも二つの情報処理装置を用いて実現する場合、それらの装置の間を通信インタフェース８１経由で相互に通信可能なように接続しても良い。
【００６０】
入出力インタフェース８２は、入力デバイスの一例であるキーボードや、出力デバイスとしてのディスプレイ等のマンマシンインタフェースである。
【００６１】
演算装置８３は、汎用のＣＰＵ（Central Processing Unit）やマイクロプロセッサ等の演算処理装置である。演算装置８３は、たとえば、不揮発性記憶装置８５に記憶された各種プログラムを記憶装置８４に読み出し、読み出したプログラムに従って処理を実行することが可能である。
【００６２】
記憶装置８４は、演算装置８３から参照可能な、ＲＡＭ（Random Access Memory）等のメモリ装置であり、プログラムや各種データ等を記憶する。記憶装置８４は、揮発性のメモリ装置であっても不揮発性のメモリ装置であっても良い。
【００６３】
不揮発性記憶装置８５は、たとえば、ＲＯＭ（Read Only Memory）、フラッシュメモリ、等の、不揮発性の記憶装置であり、各種プログラムやデータ等を記録することが可能である。
【００６４】
ドライブ装置８６は、たとえば、後述する記録媒体８７に対するデータの読み込みや書き込みを処理する装置である。
【００６５】
記録媒体８７は、たとえば、光ディスク、光磁気ディスク、半導体フラッシュメモリ等、データを記録可能な任意の記録媒体である。
【００６６】
本発明の各実施形態は、たとえば、図８に例示した情報処理装置８０により通信装置を構成し、この通信装置に対して、上記各実施形態において説明した機能を実現可能なプログラムを供給することにより実現してもよい。
【００６７】
この場合、通信装置に対して供給したプログラムを、演算装置８３が実行することによって、実施形態を実現することが可能である。また、通信装置のすべてではなく、一部の機能を情報処理装置８０で構成することも可能である。
【００６８】
さらに、上記プログラムを記録媒体８７に記録しておき、通信装置の出荷段階、あるいは運用段階等において、適宜上記プログラムが不揮発性記憶装置８５に格納されるよう構成してもよい。なお、この場合、上記プログラムの供給方法は、出荷前の製造段階、あるいは運用段階等において、適当な治具を利用して通信装置内にインストールする方法を採用してもよい。また、上記プログラムの供給方法は、インターネット等の通信回線を介して外部からダウンロードする方法等の一般的な手順を採用してもよい。
【００６９】
なお、上述する各実施の形態は、本発明の好適な実施の形態であり、本発明の要旨を逸脱しない範囲内において種々変更実施が可能である。
【００７０】
上記の実施形態の一部または全部は、以下の付記のようにも記載されうるが、以下には限られない。
【００７１】
（付記１）
受信装置と第一の通信を行う第一の通信部と、
前記受信装置から受信したエコーの状態を測定するエコー測定部と、
前記エコーの状態が変化したとき、前記変化に対応する信号を出力する処理部と
を備えることを特徴とする通信装置。
【００７２】
（付記２）
前記エコーの状態は、前記受信装置への出力信号に対する前記エコーの遅延あるいは／および減衰量である
ことを特徴とする付記１に記載の通信装置。
【００７３】
（付記３）
前記受信装置は、ファクシミリ受信機であり、
前記エコー測定部は、トレーニング中あるいは／およびファクシミリデータ送信中に前記エコーの状態の前記測定を行う
ことを特徴とする付記１あるいは付記２に記載の通信装置。
【００７４】
（付記４）
前記信号は、前記第一の通信の切断を指示する切断指示あるいは／および前記第一の通信に関係する装置への通知である
ことを特徴とする付記１から付記３のいずれかに記載の通信装置。
【００７５】
（付記５）
送信装置と第二の通信を行う第二の通信部
をさらに備え、
前記第一の通信部は、前記送信装置から受信したデータを前記受信装置へ送信する
ことを特徴とする付記１から付記４のいずれかに記載の通信装置。
【００７６】
（付記６）
前記信号は、前記送信装置と前記受信装置との間の通信の切断を指示する切断指示である
ことを特徴とする付記５に記載の通信装置。
【００７７】
（付記７）
受信装置と第一の通信を行い、
前記受信装置から受信したエコーの状態を測定し、
前記エコーの状態が変化したとき、前記変化に対応する信号を出力する
ことを特徴とする通信方法。
【００７８】
（付記８）
前記エコーの状態は、前記受信装置への出力信号に対する前記エコーの遅延あるいは／および減衰量である
ことを特徴とする付記７に記載の通信方法。
【００７９】
（付記９）
前記受信装置は、ファクシミリ受信機であり、
トレーニング中あるいは／およびファクシミリデータ送信中に前記エコーの状態の前記測定を行う
ことを特徴とする付記７あるいは付記８に記載の通信方法。
【００８０】
（付記１０）
前記信号は、前記第一の通信の切断を指示する切断指示あるいは／および前記第一の通信に関係する装置への通知である
ことを特徴とする付記７から付記９のいずれかに記載の通信方法。
【００８１】
（付記１１）
さらに、送信装置と第二の通信を行い、
前記送信装置から受信したデータを前記受信装置へ送信する
ことを特徴とする付記７から付記１０のいずれかに記載の通信方法。
【００８２】
（付記１２）
前記信号は、前記送信装置と前記受信装置との間の通信の切断を指示する切断指示である
ことを特徴とする付記１１に記載の通信方法。
【００８３】
（付記１３）
コンピュータに、
受信装置と第一の通信を行う第一の通信機能と、
前記受信装置から受信したエコーの状態を測定するエコー測定機能と、
前記エコーの状態が変化したとき、前記変化に対応する信号を出力する処理機能と
を実現させることを特徴とする通信プログラム。
【００８４】
（付記１４）
前記エコーの状態は、前記受信装置への出力信号に対する前記エコーの遅延あるいは／および減衰量である
ことを特徴とする付記１３に記載の通信プログラム。
【００８５】
（付記１５）
前記受信装置は、ファクシミリ受信機であり、
前記エコー測定機能は、トレーニング中あるいは／およびファクシミリデータ送信中に前記エコーの状態の前記測定を行う
ことを特徴とする付記１３あるいは付記１４に記載の通信プログラム。
【００８６】
（付記１６）
前記信号は、前記第一の通信の切断を指示する切断指示あるいは／および前記第一の通信に関係する装置への通知である
ことを特徴とする付記１３から付記１５のいずれかに記載の通信プログラム。
【００８７】
（付記１７）
送信装置と第二の通信を行う第二の通信機能
をコンピュータにさらに実現させ、
前記第一の通信機能は、前記送信装置から受信したデータを前記受信装置へ送信する
ことを特徴とする付記１３から付記１６のいずれかに記載の通信プログラム。
【００８８】
（付記１８）
前記信号は、前記送信装置と前記受信装置との間の通信の切断を指示する切断指示である
ことを特徴とする付記１７に記載の通信プログラム。
【符号の説明】
【００８９】
１０、２０    通信装置
１１    第一の通信部
１２    エコー測定部
１３    処理部
２４    第二の通信部
４０    送信装置
５０    受信装置
６０    ネットワーク装置
７    ネットワーク
８０    情報処理装置
８１    通信インタフェース
８２    入出力インタフェース
８３    演算装置
８４    記憶装置
８５    不揮発性記憶装置
８６    ドライブ装置
８７    記録媒体
【図１】
2017208653.tif 000003
【図２】
2017208653.tif 000004
【図３】
2017208653.tif 000005
【図４】
2017208653.tif 000006
【図５】
2017208653.tif 000007
【図６】
2017208653.tif 000008
【図７】
2017208653.tif 000009
【図８】
2017208653.tif 000010